(57)【要約】      （修正有）【課題】鼻緒付履物を履く際に、踵が内旋して足裏と履物とがずれがちとなるのを防ぎ、地面を掴むように足指を無意識に屈曲させることで身体姿勢の改善を図ることのできる足袋または底板付靴下を提供する。【解決手段】つま先部分が第１趾（拇指）を挿入する第１袋体と、第２趾（人差指）から第５趾（小指）を挿入する第２袋体とに分かれている足袋１または底板付靴下であって、第１袋体と第２袋体とを分かつ股部分を第１趾の指節間関節と第２趾の近位指節間関節の位置までの切込みＮ１として構成し、着装して鼻緒付きの履物を履いた際に、第１趾と第２趾の股に鼻緒が当接しないように構成した。【選択図】図７
0003233119.tif 000002
【実用新案登録請求の範囲】
【請求項１】
つま先部分が第１趾（拇指）を挿入する第１袋体と、第２趾（人差指）から第５趾（小指）を挿入する第２袋体とに分かれている足袋または底板付靴下であって、第１袋体と第２袋体とを分かつ股部分を第１趾の指節間関節と第２趾の近位指節間関節の位置までの切込みとし、着装して鼻緒付きの履物を履いた際に、第１趾と第２趾の股に鼻緒が当接しないように構成したことを特徴とする足袋または底板付靴下。
【請求項２】
つま先部分が第１趾（拇指）を挿入する第１袋体、第２趾（人差指）と第３趾（中指）を挿入する第２袋体、第４趾（薬指）と第５趾（小指）を挿入する第３袋体とに分かれている足袋または底板付靴下であって、第１袋体と第２袋体とを分かつ股部分を第１趾の指節間関節と第２趾の近位指節間関節の位置までの第１の切込みとし、第２袋体と第３袋体とを分かつ第２の股部分を第３趾と第４趾の近位指節間関節の位置までの第２の切込みとし、着装して鼻緒付きの履物を履いた際に、第１趾と第２趾の股に鼻緒が当接しないように構成したことを特徴とする足袋または底板付靴下。
【考案の詳細な説明】
【技術分野】
【０００１】
本考案は、主に草履・雪駄・下駄・サンダルなどに代表される鼻緒付履物を履く際に着装する足袋、または底板付靴下に関する。
【背景技術】
【０００２】
古来から我が国では鼻緒付履物が盛んに使用されてきた。代表的な草履や下駄は服装の洋風化が進んだ今日では靴に比べて少数派とはなったが、現代においてもなお和装の際には鼻緒付履物が多用されている。そして、鼻緒付履物は、ビーチサンダルなどのように裸足で履くことが前提のものを除けば、第１趾（拇指）のみを挿入する独立した袋体を有する足袋や指付き靴下を履いて使用される場合が多い。
【０００３】
一般的な鼻緒付履物は、図１の写真に例示すように左右２本の鼻緒のそれぞれの一端を「天（表）」と呼ばれる履物の上面の前方に設けた「前坪（先坪）」に取り付け、各他端を天の両側縁の後方に取り付けた構造である。大部分の鼻緒付履物の前坪は、伝統的に天の概ね中央付近に設けられている。足袋を履いた場合、前坪を第１趾と第２趾の間の股部の最奥部に当接させ、両趾で前坪を挟む形となる。特許文献１に見られるように、足袋に関する先行技術は甲の部分の形状や構造の改良がほとんどであり、足指の股部に前坪を当接させて挟む点は従来の足袋に共通している。また、下駄以外の鼻緒付履物は、多くの靴と同様に爪先に上方への反りが設けられている場合が多い。
【特許文献１】実用新案登録第３１８５０７９号
【０００４】
鼻緒付履物は、足に鼻緒で履物を固定する構造上、幅の狭い帯状の鼻緒が第１趾と第２趾の上方に常に当接する形となる。そのため、第１趾の上面を通る長母指伸筋・短母指伸筋、第２趾から第４趾の上面を通る短趾伸筋、第２趾から第５趾の上面を通る虫様筋が鼻緒により頻繁に刺戟を受けて体性反射を生じる。また、第１趾と第２趾の股部分深くに前坪を挟み込むことで、この股部に位置し、長母指伸筋、短母指伸筋、短趾伸筋の支配神経である深腓骨神経が刺戟され、やはり体性反射を生じる。これら伸筋群の体性反射により足指を無意識に上方に反らせる（背屈）作用が働くため、足指の先が浮くいわゆる「浮き指」状態となる。上述のように履物の爪先が上方に反り返っている場合は、この傾向がさらに助長される。
【０００５】
「浮き指」状態では、必然的に体軸すなわち体の重心は踵寄りとなって踵が内旋しがちとなる。その結果、図２に示すように内旋した踵が履物の天からはみ出して落ちるだけでなく、爪先側は逆に外旋しようとするため、おのずと足裏と履物とがずれてしまい、履物を引きずるような歩き方になりがちとなる。また、第１趾の付け根内側が前坪に押し付けられ、鼻緒自体も捩れる形となるため、足指の股の部分に痛みを感じることとなり、今日、鼻緒付履物が敬遠される原因の一つとなっている。日本人に比べると本来的に外股で体軸が後傾する傾向の大きな欧米人が着物を着て下駄や草履を履いた際に、踵が履物から内側に落ちて歩きがちとなり、足の痛みを訴える人が多いのもこのためである。
【０００６】
生活の中で靴の着用が主となった現代日本人の足には、歩行中も足裏と履物とがずれずに、足指を屈曲させて地面を掴む如き歩き方ができるよう、前坪を内側寄りに配置して爪先にも上方への反りのない鼻緒付履物の普及が望ましいが、残念ながら伝統的な鼻緒付履物の構造は容易に変わっていないのが実情である。
【考案の開示】
【考案が解決しようとする課題】
【０００７】
本願考案は、かかる問題を解決すべく創案されたものであり、鼻緒付履物を履く際に、踵が内旋して足裏と履物とがずれがちとなるのを防ぎ、地面を掴むように足指を無意識に屈曲させることで身体姿勢の改善を図ることのできる足袋、または底板付靴下を提供することを課題とする。
【課題を解決するための手段】
【０００８】
前記課題を解決するために本願考案の請求項１に記載した足袋または底板付靴下は、つま先部分が第１趾（拇指）を挿入する第１袋体と、第２趾（人差指）から第５趾（小指）を挿入する第２袋体とに分かれており、第１袋体と第２袋体とを分かつ股部分を第１趾の指節間関節と第２趾の近位指節間関節の位置までの切込みとして構成し、着装して鼻緒付きの履物を履いた際に、第１趾と第２趾の股に鼻緒が当接しないように構成したことを特徴とする。
【０００９】
請求項１に係る足袋は、全体としては、足裏の形状に応じた底板（底）に足を包む布地である「甲」を縫い付けて構成し、甲の後方のアキレス腱の位置をこはぜ（小鉤）で開閉可能とする伝統的な構造である。一般的な足袋は第１趾と第２趾の間の切込みが両趾の付け根の中足指節関節（ＭＰ関節）付近に達し、鼻緒付履物を履いた際には前坪を股部分の最奥まで当接させて両趾でこれを挟む構成であるのに対し、請求項１に係る足袋は、当該切込みが第１趾の指節間関節（ＩＰ関節）と第２趾の近位指節間関節（ＰＩＰ関節）の位置に留まるよう浅く構成されているため、前坪は両趾の股部分に当接しない構成とした点が異なる。残余の構成は一般的な足袋と同様で良い。
【００１０】
なお、前坪を両趾の股部分に当接させない構成は、上記の切込みを設けた足袋の底が一定の厚みと硬さを有させ、第１袋体・第２袋体に分かれた甲の爪先部分も底に合わせた股を構成させることで実現可能である。一方、爪先の形状を第１袋体・第２袋体の二股とした靴下（二股の指付靴下となる。）の場合は、そのままでは靴下の布地の伸縮によって前坪が両趾の股に当接するまで食い込んでしまうため、足裏の生地に前記足袋と同様の一定の厚みと硬さを有する底板を設けた底板付靴下とすることで構成可能である。残余の構成は一般的な靴下と同様で良い。
【００１１】
また、請求項２に記載した足袋または底板付靴下は、つま先部分が第１趾（拇指）を挿入する第１袋体、第２趾（人差指）と第３趾（中指）を挿入する第２袋体、第４趾（薬指）と第５趾（小指）を挿入する第３袋体とに分かれており、第１袋体と第２袋体とを分かつ股部分を同様に第１趾の指節間関節と第２趾の近位指節間関節の位置までの第１の切込みとして構成し、第２袋体と第３袋体とを分かつ第２の股部分を第３趾と第４趾の近位指節間関節の位置までの第２の切込みとして構成し、着装して鼻緒付きの履物を履いた際に、第１趾と第２趾の股に鼻緒が当接しないように構成したことを特徴とする。
【００１２】
請求項２に係る足袋または底板付靴下は、請求項１に係る足袋または底板付靴下において、さらに第３趾と第４趾との間に第２の切込みを追加した構成である。底板には第３趾と第４趾の近位指節間関節の位置までの切込みを設けており、両趾を挿入する第２袋体・第３袋体も底板に応じた形状としている。
【考案の効果】
【００１３】
請求項１に係る足袋または底板付靴下では、前記第１の切込みを第１趾の指節間関節と第２趾の近位指節間関節の位置に留めて一般的な足袋よりも浅くすることにより、足袋を着装して鼻緒付履物を履いた際に両趾の股部と２本の鼻緒が集合する前坪との距離が開き、前坪による深腓骨神経への刺戟が防がれる。また、鼻緒による長母指伸筋・短母指伸筋、短趾伸筋、虫様筋への刺戟が軽減され、体性反射によって無意識に足指が背屈する「浮き指」が防がれる。
【００１４】
一方、切込みをあえて浅く構成したことにより、必然的に第１趾と第２趾は前坪をその股部ではなく、より指先寄りの第１趾の指節間関節と第２趾の近位指節間関節で挟んで保持するようになる。この際、拇趾内転筋、長母趾屈筋、短母指屈筋といった足裏側の屈筋群が働くため、無意識に足指を屈曲させる作用を生じる。
【００１５】
以上の作用により踵が内旋して履物からはみ出すことが防がれるだけでなく、足指、特に第１趾・第２趾が無意識に屈曲して地面を掴む形を促すことにより、鼻緒付履物を履いた際に後傾気味になりがちな身体の重心が足芯（腓骨の延長線上）に移動して姿勢が安定するという効果を奏する。
【００１６】
請求項１に係る足袋または底板付靴下では、前記の効果に加え、第２の切込みの作用により第２趾から第５趾も無意識に屈曲させて地面を掴む形を促す効果が期待できる。すなわち、一般的な足袋にはない第２の切込みの存在により、第３趾と第４趾の近位指節間関節（ＰＩＰ関節）の間に袋体の生地が挟まれて両趾の皮膚を刺戟する形となる（足指には「異物感」として感知される）。これにより生じる体性反射は無意識に足裏の長趾屈筋・短趾屈筋といった屈筋群を収縮させる。これらの屈筋群は第２趾から第５趾を連動して地面を掴むように屈曲させるよう働くため、第１の切込みの作用と併せて鼻緒付履物を履いた際に後傾気味になりがちな身体の重心が足芯（腓骨の延長線上）に移動して姿勢が安定するという効果を奏するのである。
【考案を実施するための最良の形態】
【００１７】
（第一実施形態）
以下、本考案の実施形態について図を用いて説明する。実施形態に係る図はすべて右足用を表しており、左足用は対称に表れるため省略している。図３は本考案の第一実施形態に係る足袋１の底板Ｓ１の平面図である。また、図４は足袋１の平面図、図５は底面図、図６は右側面図である。図７は足袋１を着装した際の底板Ｓ１と足裏及び足骨との位置関係を示す模式図である。
【００１８】
足袋１は底板Ｓ１に甲Ｕ１を接着あるいは縫い付けることにより設けた一般的な構造を有するが、第１趾と第２趾との間の切込みＮ１は第１趾の指節間関節ＩＰと第２趾の近位指節間関節ＰＩＰを結ぶ線上の位置までとしている。その結果、図７に示すように、第1趾と第２趾の股部分は切込みＮ１の最奥部よりもさらに後方に位置する。この状態で鼻緒付履物を履くと、前坪（図示せず。）は切込みＮ１の最奥部までしか進入せず、前記股部分に当接しない。また、鼻緒（図示せず。）の前端も前記股部分よりも前方に固定されているので、より低い位置で足の甲に当接する形となり、足の甲の上面、特に中足指節関節（ＭＰ関節）付近に集中している長母指伸筋・短母指伸筋、短趾伸筋、虫様筋への圧迫が軽減され、足指を上屈させる体性反射が起こりにくくなる。
【００１９】
（第二実施形態）
図８は本考案の第二実施形態に係る足袋２の底板Ｓ２の平面図である。また、図９は足袋２の平面図、図１０は底面図、図１１は右側面図である。図１２は足袋２を着装した際の底板Ｓ２と足裏及び足骨との位置関係を示す模式図である。
【００２０】
足袋２は、切込みＮ１に加え、第３趾の指節間関節ＰＩＰと第４趾の近位指節間関節ＰＩＰを結ぶ線上の位置まで及ぶ切込みＮ２を設けており、残余の構成は足袋１と共通である。
【００２１】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２２】
本考案に係る足袋または底板付靴下は、従来の一般的な足袋や靴下と同様に着装可能であり、鼻緒付履物の側を特段改良することなく適用できる。敬遠されがちな鼻緒付履物を履くことの負担を軽減することにより、伝統的な形状故の現代人の足への不適合の問題を解決し、鼻緒付き履物の復権にもつながることが期待できる。
【図面の簡単な説明】
【００２３】
【図１】一般的な鼻緒付履物の例示写真
【図２】一般的な鼻緒付履物（草履）の問題点を示す模式図
【図３】第一実施形態に係る足袋の底板の平面図
【図４】第一実施形態に係る足袋の平面図
【図５】第一実施形態に係る足袋の底面図
【図６】第一実施形態に係る足袋の右側面図
【図７】第一実施形態に係る足袋の着装時の底板と足裏及び足骨との位置関係を示す模式図
【図８】第二実施形態に係る足袋の底板の平面図
【図９】第二実施形態に係る足袋の平面図
【図１０】第二実施形態に係る足袋の底面図
【図１１】第二実施形態に係る足袋の右側面図
【図１２】第二実施形態に係る足袋の着装時の底板と足裏及び足骨との位置関係を示す模式図
【符号の説明】
【００２４】
１              足袋（第一実施形態）
２          足袋（第二実施形態）
Ｓ１        底板（第一実施形態）
Ｓ２           底板（第二実施形態）
Ｕ１        甲（第一実施形態）
Ｕ２        甲（第二実施形態）
Ｎ１        第１の切込み（第一実施形態、第二実施形態）
Ｎ２        第２の切込み（第二実施形態）
【図１】
0003233119.tif 000003
【図２】
0003233119.tif 000004
【図３】
0003233119.tif 000005
【図４】
0003233119.tif 000006
【図５】
0003233119.tif 000007
【図６】
0003233119.tif 000008
【図７】
0003233119.tif 000009
【図８】
0003233119.tif 000010
【図９】
0003233119.tif 000011
【図１０】
0003233119.tif 000012
【図１１】
0003233119.tif 000013
【図１２】
0003233119.tif 000014